(57)【要約】【課題】トレイのサイズを小さくでき、また、トレイを洗面台の利用者にとって邪魔になり難い位置に配置できるフロアーキャビネット及び洗面化粧台を提供する。【解決手段】キャビネット本体３と、該キャビネット本体３上に設けられ且つ槽部５が設けられた天板部４と、該天板部４上に載置されるトレイ６を備える。天板部４のキャビネット本体３より外方に突出した外端部により被嵌合部１２が構成される。トレイ６に被嵌合部１２に着脱自在に嵌合可能な嵌合部１４が形成される。【選択図】        図１
2010075311.tif 000002
【特許請求の範囲】
【請求項１】
キャビネット本体と、該キャビネット本体上に設けられ且つ槽部が設けられた天板部と、該天板部上に載置されるトレイを備え、天板部のキャビネット本体より外方に突出した外端部により被嵌合部が構成され、トレイに被嵌合部に着脱自在に嵌合可能な嵌合部が形成されて成ることを特徴とするフロアーキャビネット。
【請求項２】
前記被嵌合部が天板部のキャビネット本体より前方に突出する前端部で構成されたことを特徴とする請求項１に記載のフロアーキャビネット。
【請求項３】
前記嵌合部が断面コ字状に形成され、該嵌合部の上面部に、上下方向に貫通する孔からなり、孔に挿入された物品を孔周縁部で支持して立てるための挿入孔が形成されたことを特徴とする請求項１又は請求項２に記載のフロアーキャビネット。
【請求項４】
前記請求項１乃至３のいずれか１項に記載のフロアーキャビネットと、ミラーキャビネットを備えた洗面化粧台であって、前記トレイがミラーキャビネットに収納可能なものであることを特徴とする洗面化粧台。
【発明の詳細な説明】
【技術分野】
【０００１】
本発明はフロアーキャビネット及びこれを備えた洗面化粧台に関する。
【背景技術】
【０００２】
従来、フロアーキャビネットとして利用される洗面台には、図９に示すように洗面台１上に洗面用具や化粧品等の物を置くためのトレイ６を取り付けられるようにしたものがある。このトレイ６は、洗面ボウル９の前後両端部間に架け渡された状態で洗面ボウル９上に載置されるものであり、洗面ボウル９の開口面積が大きく洗面ボウル９上に小物を置くための十分なスペースを確保できないものにおいて有効である。
【０００３】
しかし、上記トレイ６は洗面ボウル９の前後両端部間に架け渡すために前後方向の長さを長くする必要があり、サイズが大きく、また、洗面台１の利用者にとって邪魔になりやすい。
【特許文献１】特開平８−１９６４４５号公報
【発明の開示】
【発明が解決しようとする課題】
【０００４】
本発明は上記従来の問題点に鑑みてなされたものであって、トレイのサイズを小さくでき、また、トレイを洗面台に配置した状態で利用者にとって邪魔になり難いフロアーキャビネット及び洗面化粧台を提供することを課題とする。
【課題を解決するための手段】
【０００５】
上記課題を解決するために請求項１に係るフロアーキャビネットは、以下の構成要件を有している。
【０００６】
キャビネット本体３と、該キャビネット本体３上に設けられ且つ槽部５が設けられた天板部４と、該天板部４上に載置されるトレイ６を備える。天板部４のキャビネット本体３より外方に突出した外端部により被嵌合部１２が構成される。トレイ６に被嵌合部１２に着脱自在に嵌合可能な嵌合部１４が形成される。
【０００７】
また、請求項２に係るフロアーキャビネットは、請求項１の構成に加えて以下の構成要件を有している。前記被嵌合部１２が天板部４のキャビネット本体３より前方に突出する前端部で構成される。
【０００８】
また、請求項３に係るフロアーキャビネットは、請求項１又は請求項２の構成に加えて以下の構成要件を有している。前記嵌合部１４が断面コ字状に形成される。該嵌合部１４の上面部１４ａに、上下方向に貫通する孔からなり、孔に挿入された物品を孔周縁部で支持して立てるための挿入孔１６が形成される。
【０００９】
また、請求項４に係る洗面化粧台は以下の構成要件を有している。前記請求項１乃至３のいずれか１項に記載のフロアーキャビネットと、ミラーキャビネット２を備えた洗面化粧台であって、前記トレイ６がミラーキャビネット２に収納可能なものである。
【発明の効果】
【００１０】
請求項１に係る発明では、嵌合部を天板部のキャビネット本体より外方に突出した被嵌合部に嵌め込むことで、トレイを天板部に取り付けることができ、これによりトレイの前後長さを槽部の上開口の前後寸法よりもかなり短い長さとしてトレイのサイズを小さくできる。また、トレイを天板部に取り付けた状態では、トレイをフロアーキャビネットの利用者にとって邪魔になり難い。
【００１１】
また請求項２に係る発明では、請求項１に係る発明の効果に加えて、トレイを天板部の前端部に取り付けることができる。
【００１２】
また請求項３に係る発明では、請求項１又は請求項２に係る発明の効果に加えて、挿入孔に物品を挿入して立てることができ、物品を簡単に手に取ることができる。
【００１３】
また請求項４に係る発明では、請求項１乃至３のいずれか１項に記載の発明の効果を備えた洗面台を備えた洗面化粧台を提供することができる。また、トレイをミラーキャビネット内で利用することができる。
【発明を実施するための最良の形態】
【００１４】
以下、本発明の実施形態の一例を添付図面に基づいて説明する。図１に示す本例のフロアーキャビネットは洗面台１からなり、図７に示す一面鏡付きのミラーキャビネット２や、図８に示す三面鏡付きのミラーキャビネット２とで洗面ユニットを構成し、洗面化粧台として利用されるものである。
【００１５】
図１に示す洗面台１は、床上に設置されるキャビネット本体３と、キャビネット本体３上に設けられた水平な天板部４と、天板部４に設けられた槽部５と、天板部４上に載置されるトレイ６を備えている。
【００１６】
キャビネット本体３の内部には前方に開口する収納空間が複数形成され、これら収納空間には引き出し７が収納され、また、前面開口を閉塞する扉８が設けられる。
【００１７】
キャビネット本体３で支持された天板部４はその中央に形成された上方に開口する槽部５と一体に形成され、該天板部４と槽部５とで洗面ボウル９を構成するものである。つまり、本例の天板部４は、槽部５の上開口縁から外方に向けて一体に突出したものである。
【００１８】
天板部４の外縁形状は平面視で左右方向に長い長方形状となっている。槽部５の上開口縁は平面視で天板部４の外縁に沿う長方形状に形成され、槽部５の開口面積が大きくなっている。
【００１９】
天板部４の後縁部にはバックガード１０が一体に立ち上げ形成されている。バックガード１０によりキャビネット本体３の後側に水が流れることを防止するためである。なお、図示は省略するが、洗面台１には槽部５内に水を供給する水栓が設けられる。
【００２０】
図２及び図３に示すように、天板部４の前端部は左右方向の全長に亘ってキャビネット本体３よりも前方に突出しており、該突出部分によりトレイ６の取付部分となる被嵌合部１２が構成されている。被嵌合部１２の下方には前方に開口する凹所１３が形成されている。凹所１３は、被嵌合部１２とこの下方に位置する閉じた状態の扉８や引き出し７の前板との間に形成され、この凹所１３も天板部４の左右全長に亘って形成される。
【００２１】
図１、図２、図４に示すように、トレイ６は上方に開口する矩形箱状の箱部１１を備えており、箱部１１の水平な底部上に洗面用具や化粧品等の物品を置くことができる。
【００２２】
トレイ６の底部前端部にはトレイ６の幅方向の全長に亘って後方に開口する断面コ字状の嵌合部１４が形成され、該嵌合部１４は天板部４の被嵌合部１２に対して着脱自在に嵌合可能となっている。
【００２３】
嵌合部１４は、箱部１１の底部の前端部で構成された上面部１４ａと、箱部１１の底部の前縁から下方に向けて突出した前面部１４ｂと、前面部１４ｂの下縁から後方に向けて突出した下面部１４ｃとで構成されている。
【００２４】
前面部１４ｂは箱部１１の前板部を下方に延出して形成され、箱部１１と一体に形成されている。嵌合部１４の前面部１４ｂと下面部１４ｃ、加えて箱部１１により、トレイ６は構成されている。
【００２５】
図１及び図３に示すように、トレイ６を天板部４に取り付けるには、嵌合部１４内に天板部４の前端部で構成された被嵌合部１２を嵌め込む。この取り付けた状態においては、天板部４上にトレイ６の底部が載置されると共に嵌合部１４の下面部１４ｃが凹所１３に挿入される。
【００２６】
このようにトレイ６を取り付けると、天板部４上に位置する箱部１１に洗面用具や化粧品等の物品を置くことが可能となり、便利である。また、トレイ６を天板部４に取り付けるには、嵌合部１４を天板部４のキャビネット本体３より前方に突出した被嵌合部１２に嵌め込めばよく、このためトレイ６の前後長さは槽部５の上開口の前後寸法よりもかなり短くすることができる。したがって、トレイ６のサイズを小さくでき、洗面台１の利用者にとって邪魔になり難いものとすることができる。
【００２７】
また、天板部４に取り付けたトレイ６は、例えば図１の矢印に示すように、嵌合部１４を被嵌合部１２に嵌合したまま天板部４の前縁に沿って左右方向にスライドすることができる。このため、トレイ６は天板部４の左右方向における任意の位置に取り付けることができ、図１のように天板部４の左端に配置するだけでなく、右端に配置することもでき、使い勝手が良い。
【００２８】
また、図５に示すように、トレイ６の底部には、上下方向に貫通する孔からなり、孔に挿入された物品を孔周縁部で支持して立てるための挿入孔１６を形成することが好ましい。図５の例では、挿入孔１６を嵌合部１４の上面部１４ａに左右方向に複数形成してある。
【００２９】
これにより、トレイ６を天板部４に取り付けた状態では、各挿入孔１６に歯ブラシ１７（図６参照）の柄や口紅１８（図６参照）等の細長い物を挿入し、挿入孔１６の孔縁部で支持して立てることができ、これらの物をトレイ６から容易に取り出せるといった利点がある。
【００３０】
また、トレイ６の下面部１４ｃの長さをある程度長く形成しておけば、図６に示すように、トレイ６を天板部４から取り外した状態においても、各挿入孔１６に挿通させた歯ブラシ１７の柄や口紅１８等の細長い物を嵌合部１４の下面部１４ｃ上に載せ、これらの物を挿入孔１６の孔縁部で支持して立てることもできる。
【００３１】
また、既述のトレイ６を洗面台１に設けた引き出し７や収納空間、又は、図７や図８に示す洗面台１上に設けられたミラーキャビネット２のトレイ１９や収納空間に収納可能なサイズ及び形状とすることが好ましい。洗面台１内やミラーキャビネット２内でもトレイ６を利用することができる。
【００３２】
また、既述のトレイ６をミラーキャビネット２に対して着脱自在に取り付けられるようにしても良い。ミラーキャビネット２のトレイをトレイ６で構成することができる。
【００３３】
なお、上記各例では、天板部４の前端部を被嵌合部１２としたが、天板部４の側端部をキャビネット本体３よりも外側方に突出させ、該突出部分で被嵌合部１２を構成しても良い。また、上記各例では、フロアーキャビネットを洗面台１としたが、フロアーキャビネットはシステムキッチンを構成する流し台であっても良く、この場合はカウンターが天板部４を構成し、シンクが槽部５を構成することとなる。
【図面の簡単な説明】
【００３４】
【図１】本発明の実施形態の一例の洗面台を示す斜視図である。
【図２】同上の洗面台の天板にトレイを取り付けた状態を示す側面図である。
【図３】同上の洗面台の側面図である。
【図４】同上のトレイの取り付け方法を示す洗面台の斜視図である。
【図５】他例のトレイの後側からの斜視図である。
【図６】他例のトレイに物品を立て掛けた状態を示す斜視図である。
【図７】同上の洗面台と一面鏡を備えたミラーキャビネットで構成される洗面化粧台の斜視図である。
【図８】同上の洗面台と三面鏡を備えたミラーキャビネットで構成される洗面化粧台の斜視図である。
【図９】従来の洗面台を示す斜視図である。
【符号の説明】
【００３５】
３  キャビネット本体
４  天板部
５  槽部
６  トレイ
１２  被嵌合部
１４  嵌合部
【図１】
2010075311.tif 000003
【図２】
2010075311.tif 000004
【図３】
2010075311.tif 000005
【図４】
2010075311.tif 000006
【図５】
2010075311.tif 000007
【図６】
2010075311.tif 000008
【図７】
2010075311.tif 000009
【図８】
2010075311.tif 000010
【図９】
2010075311.tif 000011